(57)【要約】【課題】カーテンの畳み代が大きくなったり、カーテンに無数の皺が発生してしまったりするという問題を解決することの可能な園芸用施設のカーテン開閉装置を提供する。【解決手段】園芸用施設１０のカーテン開閉装置１００は、山形の移動フレーム１１０と、移動フレーム１１０を支持し園芸用施設１０の奥行方向に案内する支持手段１２０と、移動フレーム１１０に連結され、移動フレーム１１０が支持手段１２０に沿って案内されることで、園芸用施設１０の奥行方向に沿って開閉するカーテン１３０と、を備え、カーテン１３０は、奥行方向に沿ったスリット１３４を境に第１カーテン部１３０−１と第２カーテン部１３０−２とが形成され、カーテン１３０が閉じた際に、第１カーテン部１３０−１の対向縁と第２カーテン部１３０−２の対向縁とが折り重なるように畳み込まれることを特徴とする。【選択図】図１
2017055679.tif 000002
【特許請求の範囲】
【請求項１】
園芸用施設のカーテン開閉装置であって、
山形の移動フレームと、
前記移動フレームを支持し園芸用施設の奥行方向に案内する支持手段と、
前記移動フレームに連結され、前記移動フレームが前記支持手段に沿って案内されることで、前記園芸用施設の奥行方向に沿って開閉するカーテンと、
を備え、
前記カーテンは、前記奥行方向に沿って設けられる分離部を境に第１カーテン部と第２カーテン部とが形成され、
前記カーテンが閉じた際に、前記第１カーテン部の対向縁と前記第２カーテン部の対向縁とが折り重なるように畳み込まれることを特徴とする、園芸用施設のカーテン開閉装置。
【請求項２】
前記第１カーテン部と前記第２カーテン部とは、前記分離部を境にして異なる傾斜角度にて開閉されることを特徴とする、請求項１に記載の園芸用施設のカーテン開閉装置。
【請求項３】
前記分離部は、前記移動フレームの山形の頂点に対向する位置に設けられることを特徴とする、請求項１又は２に記載の園芸用施設のカーテン開閉装置。
【請求項４】
前記分離部は、前記カーテンに形成されるスリットであることを特徴とする、請求項１〜３のいずれかに記載の園芸用施設のカーテン開閉装置。
【請求項５】
前記第１カーテン部と前記第２カーテン部とは別体であり、別々に前記移動フレームに連結されることを特徴とする、請求項１〜４のいずれかに記載の園芸用施設のカーテン開閉装置。
【請求項６】
前記第１カーテン部の対向縁と前記第２カーテン部の対向縁とは、互いに重なった状態で移動フレームに連結されることを特徴とする、請求項１〜５のいずれかに記載の園芸用施設のカーテン開閉装置。
【請求項７】
前記移動フレームには、第１係合部が設けられ、
前記第１カーテン部には、前記第１係合部と係合する第２係合部と、前記第２係合部の裏面に設けられる第３係合部と、が設けられ、
前記第２カーテン部には、前記第３係合部と係合する第４係合部が設けられることを特徴とする、請求項１〜６のいずれかに記載の園芸用施設のカーテン開閉装置。
【発明の詳細な説明】
【技術分野】
【０００１】
本発明は、園芸用施設のカーテン開閉装置に関する。
【背景技術】
【０００２】
従来の園芸用施設のカーテン開閉装置としては、特開２０１４−５７５６７号公報（特許文献１）に示されるものがある。これに示されるものは、互いに対向する一対の側壁と一対の側壁の上端同士を繋ぐ屋根が奥行方向に延長されたハウス本体の内側において、屋根に沿ってカーテンを設けたものである。カーテンは奥行方向に延長されている支持部にて支持されて奥行方向に沿って開閉するように構成されている。
【０００３】
カーテンの支持部は一対の側壁の対向方向である幅方向に３本以上並べて設けられており、側壁から離れるほどカーテンの高さが高くなる。また、カーテンは、奥行方向の各自由端において、少なくとも一対の側壁の対向方向の両端間を連結する棒状の芯材を有しており、芯材が支持部に沿って奥行方向に移動することにより開閉する。
【０００４】
このような構成により、特許文献１に示されるものは、カーテンが、支持部に沿って奥行方向に開閉するように構成されているので、全開状態のカーテンによる日射量の低下を抑制できる。
【０００５】
また、カーテンは、支持部によって、ハウスの幅方向における中央部ほど高い位置に支持されることになるため、ハウス本体内で立って作業するユーザの邪魔になりにくい。さらに、カーテンは、妻壁の幅方向における中央部で且つ上端部付近に設けられているファンとの干渉を避けることができるので、ファンによって生じる空気流の妨げとなることを回避できる。
【０００６】
さらに、カーテンは、他の部位よりも強度が高く一対の側壁の対向方向の両端間に亘って延長された補強帯を有し、補強帯の部分が支持部に支持されており、補強帯は、奥行方向に所定の間隔で複数本設けられていることが開示される。これにより、カーテンは、開放時に補強帯に沿って折り目ができるので、開閉がスムーズに行われ、補強帯に沿って折り目ができることにより、全開状態では奥行方向に比較的コンパクトに折り畳まれるので、全開状態のカーテンによる日射量の低下を一層抑制できる特徴がある。
【先行技術文献】
【特許文献】
【０００７】
【特許文献１】特開２０１４−５７５６７号公報
【発明の概要】
【発明が解決しようとする課題】
【０００８】
しかしながら、上記従来のカーテンは、ハウス幅方向中央に位置する棟部近傍を境にして両端に向かって傾斜するように支持部に吊り下げられているため、カーテンを畳み込んだとき、棟部近傍に位置する部分にカーテンが集中するために複数の襞が生じて畳み込み量が多くなり、その結果、カーテンの畳み代が大きくなったり、カーテンに無数の皺が発生してしまったりするという問題があった。
【０００９】
本発明は、上記背景技術が有する問題に鑑みてなされたもので、その目的とするところは、園芸用施設のカーテン開閉装置において、カーテンの畳み代が大きくなったり、カーテンに無数の皺が発生してしまったりするという問題を解決するとともに、園芸用施設の形状や大きさに合わせて、カーテンの大きさを現地で簡単に調整することの可能な、園芸用施設のカーテン開閉装置を提供することにある。
【課題を解決するための手段】
【００１０】
上記課題を解決するために、本発明によれば、園芸用施設のカーテン開閉装置であって、山形の移動フレームと、前記移動フレームを支持し園芸用施設の奥行方向に案内する支持手段と、前記移動フレームに連結され、前記移動フレームが前記支持手段に沿って案内されることで、前記園芸用施設の奥行方向に沿って開閉するカーテンと、を備え、前記カーテンは、前記奥行方向に沿って設けられる分離部を境に第１カーテン部と第２カーテン部とが形成され、前記カーテンが閉じた際に、前記第１カーテン部の対向縁と前記第２カーテン部の対向縁とが折り重なるように畳み込まれることを特徴とする、園芸用施設のカーテン開閉装置が提供される。
【００１１】
かかる構成によれば、カーテンには園芸用施設の奥行方向に沿って分離部が設けられることで、カーテンを畳み込んだときに、カーテンが一部に集中しようとしても、分離部によって集中が回避できるため、カーテンの皺の発生を極力抑えて畳み込み量を減らし、カーテン全体の畳み代の増大を防止するとともにきれいに畳み込むことができる。
【００１２】
また、日射遮蔽を目的としてカーテンを設置する場合には、カーテンを介して侵入した日射熱はファンによって循環されるものの、依然としてカーテンの内側に留まってしまうという問題があった。この点、本発明によれば、分離部によって、カーテン内に留まる日射熱を放熱することができる。
【００１３】
また、本発明の応用例として様々なものが考えられる。例えば、前記第１カーテン部と前記第２カーテン部とは、前記分離部を境にして異なる傾斜角度にて開閉される構成としてもよい。よって、園芸用施設の形状に合わせてカーテンを配置することができる。
【００１４】
また、前記分離部は、前記移動フレームの山形の頂点に対向する位置に設けられる構成としてもよい。かかる構成によれば、分離部をカーテンが集中しやすい山形の頂点に対向する位置に設けることで、より一層きれいに畳み込むことができる。
【００１５】
前記分離部は、前記カーテンに形成されるスリットであってもよい。よって、１枚のカーテンで、カーテン全体の畳み代の増大を防止するとともにきれいに畳み込むことができ、カーテン内に留まる日射熱を放熱することができる。
【００１６】
また、前記第１カーテン部と前記第２カーテン部とは別体であり、別々に前記移動フレームに連結される構成としてもよい。カーテンを分離可能な第１カーテン部と第２カーテン部と、から構成することで、カーテンの大きさに合わせて、複数のカーテン部を組み合わせることができる。また、組立性が向上するとともに、季節や状況に応じて、機能が異なるカーテンへの取替えが可能となる。また、第２カーテン部として、施設内の側壁用カーテンを連結することもできる。
【００１７】
前記第１カーテン部の対向縁と前記第２カーテン部の対向縁とは、互いに重なった状態で移動フレームに連結される構成としてもよい。第１カーテン部と第２カーテン部とは、互いの対向縁が重なった状態で移動フレームに連結されるため、カーテンを閉じたときに、第１カーテン部と第２カーテン部との間のすき間による遮蔽性の低下を防止することが可能である。
【００１８】
なお、従来のカーテンは、支持部上を移動可能な滑車に連結されたフックを補強帯に設けたハトメに通すことで滑車に保持され、カーテンは、予め決まった位置に形成されているハトメを利用して滑車に吊り下げられることになり、一枚のカーテンを滑車へ連結することは容易と言えるが、ハトメとフックとの連結では、複数のカーテンを一つの滑車に連結することが困難であり、例え連結できた場合でも、カーテンを畳み込んだ時にフックからハトメが脱落しやすいという課題があった。
【００１９】
そこで、本発明の応用例として、前記移動フレームには、第１係合部が設けられ、前記第１カーテン部には、前記第１係合部と係合する第２係合部と、前記第２係合部の裏面に設けられる第３係合部と、が設けられ、前記第２カーテン部には、前記第３係合部と係合する第４係合部が設けられる構成としてもよい。かかる構成によれば、複数のカーテン部同士を連結しながら移動フレームに連結する作業が容易であり、且つ開閉時に不用意に外れることを防止できる。また、第１カーテン部と第２カーテン部とが移動フレームに着脱自在とされることで、組立性が向上するとともに、季節や状況に応じて、機能が異なるカーテンへの取替えが可能となる。
【発明の効果】
【００２０】
本発明によれば、園芸用施設のカーテン開閉装置において、カーテンの畳み代が大きくなったり、カーテンに無数の皺が発生してしまったりすることを抑制することができるとともに、園芸用施設の形状や大きさに合わせて、カーテンの大きさを現地で簡単に調整することが可能である。本発明のその他の効果については、後述する発明を実施するための形態においても説明する。
【図面の簡単な説明】
【００２１】
【図１】第１の実施形態のカーテン開閉装置１００が用いられた園芸用施設１０のカーテンを閉じた状態における全体構成を示す斜視図である。
【図２】カーテン開閉装置１００が用いられた園芸用施設１０のカーテンを途中まで開いた状態における全体構成を示す斜視図である。
【図３】カーテン開閉装置１００が用いられた園芸用施設１０の全体構成を示す正面図である。
【図４】カーテン開閉装置１００が用いられた園芸用施設１０の全体構成を示す側面図である。
【図５】カーテン開閉装置１００が用いられた園芸用施設１０の全体構成を示す平面図である。
【図６】補助フレーム１１４の分解された端部の構造を示す斜視図である。
【図７】補助フレーム１１４の組み立てられた端部の構造を示す斜視図である。
【図８】ベースフレーム１１２へのカーテン１３０の取り付け方法を説明するための図であり、（ａ）はベースフレーム１１２に対してカーテン１３０を配置した図であり、（ｂ）はベースフレーム１１２に第１カーテン部１３０−１を取り付けた状態を示す図である。
【図９】補助フレーム１１４へのカーテン１３０の取り付け方法を説明するための図であり、（ａ）は補助フレーム１１４に対してカーテン１３０を配置した図であり、（ｂ）は補助フレーム１１４に第２カーテン部１３０−２を取り付けた状態を示す図である。
【図１０】カーテン開閉装置１００の動作を説明するための図である。
【図１１】カーテン開閉装置１００の動作を説明するための図である。
【図１２】カーテン１３０が畳み込まれる状態を示す側面図である。
【図１３】カーテン１３０が畳み込まれる状態を示す正面図である。
【図１４】カーテン１３０が畳み込まれる状態を示す平面図である。
【図１５】第２の実施形態のカーテン開閉装置５００が用いられた園芸用施設１０の全体構成を示す正面図である。
【図１６】カーテン開閉装置５００が用いられた園芸用施設１０の全体構成を示す平面図である。
【図１７】ベースフレーム５１２にカーテン５３０を取り付けた状態を示す正面図である。
【図１８】ベースフレーム５１２へのカーテン５３０の取り付け方法を説明するための図であり、（ａ）はベースフレーム５１２に対してカーテン５３０を配置した図であり、（ｂ）はベースフレーム５１２に第１カーテン部５３０−１を取り付けた状態を示す図である。
【図１９】第３の実施形態を示す図である。
【図２０】第４の実施形態のカーテン開閉装置７００が用いられた園芸用施設１０の全体構成を示す正面図である。
【図２１】補助フレーム７１４の端部の分解された構造を示す斜視図である。
【図２２】補助フレーム７１４の端部の組み立てられた構造を示す斜視図である。
【図２３】補助フレーム７１４へのカーテン７３０の取り付け方法を説明するための図であり、（ａ）は補助フレーム７１４に取り付けられた第２カーテン部７３０−２に対して側壁用カーテン部７３０−３を配置した図であり、（ｂ）は第２カーテン部７３０−２に側壁用カーテン部７３０−３を取り付けた状態を示す図である。
【発明を実施するための形態】
【００２２】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２３】
（第１の実施形態）
本実施形態に係るカーテン開閉装置１００は、園芸用施設１０に取り付けられるものである。まず、本実施形態に係るカーテン開閉装置１００が用いられた園芸用施設１０の全体の構成について、図１及び図２を参照しながら説明する。図１は、カーテン開閉装置１００が用いられた園芸用施設１０のカーテンを閉じた状態における全体構成を示す斜視図である。図２は、カーテン開閉装置１００が用いられた園芸用施設１０のカーテンを途中まで開いた状態における全体構成を示す斜視図である。
【００２４】
園芸用施設１０は、図１及び図２に示したように、長手方向に平行に整列する複数のアーチフレーム１２と、アーチフレーム１２を奥行方向に連結する３本の母屋フレーム１４と、を備えて構成されている。通常、アーチフレーム１２の外周は、図示していないビニールシートによって覆われる。アーチフレーム１２の天井部分の形状は、図１及び図２に示したような山形である。母屋フレーム１４は、アーチフレーム１２の山形の頂点の近傍と、山形の両端に配設される。なお、本明細書において「山形」というときには、特に断りがない限り、両端から中央に向かって実質的に高さが増加する形態をいい、略への字型、アーチ形、円弧状などを含む。必ずしも左右対称でなくてもよい。
【００２５】
カーテン開閉装置１００は、図１及び図２に示したように、園芸用施設１０内に設けられる。カーテン開閉装置１００は、山形の移動フレーム１１０と、移動フレーム１１０を支持し園芸用施設１０の奥行方向に案内する支持手段１２０と、移動フレーム１１０に連結され、移動フレーム１１０が支持手段１２０に沿って案内されることで、園芸用施設１０の奥行方向に沿って開閉するカーテン１３０と、を備えて構成される。
【００２６】
移動フレーム１１０は、図１及び図２に示したように、園芸用施設１０の奥行方向に沿って複数設けられており、カーテン１３０は、各移動フレーム１１０間にわたって連結されている。なお、本実施形態では、移動フレーム１１０を複数設ける構成としたが、移動フレーム１１０は１つでもよい。また、カーテン１３０は、１つあるいは２つ以上の移動フレーム１１０に連結される構成であればよい。
【００２７】
以下、本実施形態のカーテン開閉装置１００の各構成要素について、図３〜図７を参照しながら説明する。
【００２８】
（移動フレーム１１０）
移動フレーム１１０は、図３に示したように、主に、山形のベースフレーム１１２と、ベースフレーム１１２の両端部に相対移動可能に連結される補助フレーム１１４と、から構成される。移動フレーム１１０には、ベースフレーム１１２の下部に設けられる固定係合部１１７と、補助フレーム１１４の下部に設けられる可動係合部１１８によってカーテン１３０が取り付けられる。なお、固定係合部１１７及び可動係合部１１８については後に詳述する。
【００２９】
ベースフレーム１１２は、図３に示したように、主に、同じ形状に構成された２つのベースフレーム構成部材１１２ａ−１、１１２ａ−２から成る。各ベースフレーム構成部材１１２ａ−１、１１２ａ−２は、基端部１１２ｂ−１、１１２ｂ−２同士が連結部材１１２ｃで相対回転自在に連結されている。よって、ベースフレーム１１２は２つのベースフレーム構成部材１１２ａ−１、１１２ａ−２によって形成する角度を変更することによって、山形の角度が自由に変更される。なお、本実施形態では、ベースフレーム１１２は山形の角度が自由に変更される構成としたが、この例に限定されず、角度は固定でもよい。
【００３０】
各ベースフレーム構成部材１１２ａ−１、１１２ａ−２の下部には、図３に示したように、前述した固定係合部１１７が設けられており、固定係合部１１７を介してカーテン１３０が取り付けられる。なお、固定係合部１１７は、スナップボタンのオス型の形状をしており、後述する補助フレーム１１４に取り付けられる可動係合部１１８（図６）と同一形状のものである。
【００３１】
補助フレーム１１４は、図３に示したように、ベースフレーム１１２の両端部に相対移動可能に連結される。このような構成により、補助フレーム１１４のベースフレーム１１２からの突出長さを変えることにより、移動フレーム１１０の長さが変更される。なお、本実施形態では、補助フレーム１１４がベースフレーム１１２の両端部に相対移動可能としたが、固定されていてもよい。
【００３２】
補助フレーム１１４には、図６及び図７に示したように、下部に軸方向に延びる開口部１１４ｅと上部に軸方向に延びる開口部１１４ａが形成されている。下部の開口部１１４ｅには、可動係合部１１８が開口部１１４ｅに沿って移動自在に設けられており、上部の開口部１１４ａには、係止部材１１６が開口部１１４ａに沿って移動自在に設けられている。補助フレーム１１４の端部は、キャップ１４０がねじ１４１でねじ止めされて固定されている。
【００３３】
補助フレーム１１４の下部の開口部１１４ｅに沿って可動係合部１１８を移動自在にしたことにより、補助フレーム１１４に対する可動係合部１１８の位置を自由に変更することができる。よって、カーテン１３０の幅が変化したり、補助フレーム１１４が伸縮したりしても、カーテン１３０を補助フレーム１１４の適切な位置に取り付けることができる。
【００３４】
また、補助フレーム１１４の上部の開口部１１４ａに沿って係止部材１１６を移動自在にしたことにより、園芸用施設１０の幅が変わり、移動フレーム１１０を伸縮させても、支持手段１２０に移動フレーム１１０を支持させることができる。
【００３５】
補助フレーム１１４に設けられる可動係合部１１８は、図６に示したように、固定係合部１１７と同様に、スナップボタンのオス型の形状をしている。本実施形態では、可動係合部１１８と固定係合部１１７を同一の形状のものとしたが、異なる形状としてもよい。
【００３６】
ベースフレーム１１２の山形の頂点の上部と、各補助フレーム１１４の上部に、後述する支持手段１２０のフック１２６に揺動自在に係止される係止部材１１６が設けられている。特に、補助フレーム１１４に設けられる係止部材１１６は、図７に示したように、補助フレーム１１４の上部に軸方向に形成される長尺の開口部１１４ａに沿って移動自在に設けられている。これにより、後述するように、園芸用施設１０の幅が変わり、移動フレーム１１０を伸縮させても、支持手段１２０に移動フレーム１１０を支持させることができる。
【００３７】
また、図４中の左端部に配置される移動フレーム１１０には、支持手段１２０に沿って園芸用施設１０の奥行き方向に移動フレーム１１０を移動させるための操作手段２００が設けられている。操作手段２００は、各補助フレーム１１４に吊り下げられるチェーン２０２と、チェーン２０２によって揺動自在に両端が支持される操作フレーム２０４と、操作フレーム２０４の中心に設けられるグリップ２０６と、によって構成される。グリップ２０６を持って移動フレーム１１０を押したり、引っ張ったりすることにより、後述するように、移動フレーム１１０が園芸用施設１０の奥行き方向に移動する。
【００３８】
なお、本実施形態では、操作手段２００を図４中の左端部に配置される移動フレーム１１０に設けたが、操作手段２００が設けられる移動フレーム１１０は、この例に限定されない。例えば、図４中の右端部に配置される移動フレーム１１０に設けたり、両端部の移動フレーム１１０に設けたりするなど、適宜設計することができる。
【００３９】
（支持手段１２０）
支持手段１２０は、図１〜図３に示したように、園芸用施設１０の３か所に設けられている母屋フレーム１４にそれぞれ１つずつ固定されている。支持手段１２０は、園芸用施設１０の奥行き方向に配設される長尺状のレール１２２と、レール１２２を走行するランナ１２４と、ランナ１２４から吊り下げられたフック１２６と、レール１２２と母屋フレーム１４とを固定する固定具１２８と、を備えて構成される。
【００４０】
レール１２２は、図４及び図５に示したように、母屋フレーム１４とほぼ同様の長さに構成されており、母屋フレーム１４に沿って、園芸用施設１０の奥行き方向に延びるように配置される。レール１２２は、長手方向の複数個所において、固定具１２８によって母屋フレーム１４に固定されている。
【００４１】
ランナ１２４は、図４に示したように、レール１２２に複数設けられており、レール１２２に沿って走行可能である。各ランナ１２４からはフック１２６が吊り下げられており、フック１２６は、移動フレーム１１０の係止部材１１６を揺動自在材に係止する。このようにして、レール１２２は、複数の移動フレーム１１０を支持する。よって、移動フレーム１１０は、レール１２２に沿って園芸用施設１０の奥行き方向に移動する。
【００４２】
（カーテン１３０）
カーテン１３０は、図３に示したように、移動フレーム１１０に取り付けられるが、移動フレーム１１０の形状に沿って、移動フレーム１１０の幅全体にわたって取り付けられる。また、カーテン１３０の長さは、図４に示したように、レール１２２の長手方向ぼぼ全長にわたり、各移動フレーム１１０間を渡るように取り付けられている。
【００４３】
カーテン１３０には、移動フレーム１１０の固定係合部１１７及び可動係合部１１８に係合する被係合部１３２が取り付けられている。被係合部１３２は、図６に示したように、スナップボタンのメス型の形状をしている。このように、固定係合部１１７及び可動係合１１８は、スナップボタンのオス型であり、被係合部１３２はスナップボタンのメス型であるため、固定係合部１１７及び可動係合１１８と被係合部１３２とは着脱自在とされる。
【００４４】
被係合部１３２は、図５に示したように、カーテン１３０を広げた状態において、移動フレーム１１０の固定係合部１１７及び可動係合部１１８と対応する位置に設けられている。カーテン１３０の被係合部１３２と移動フレーム１１０の固定係合部１１７及び可動係合部１１８を係合することによって、カーテン１３０は、移動フレーム１１０に取り付けられる。
【００４５】
さらに、カーテン１３０は、図５に示したように、移動フレーム１１０の山形の頂点に対応する位置に複数のスリット１３４が形成されている。各スリット１３４は、隣り合う被係合部１３２の間に延びるように形成されている。スリット１３４は、本発明を構成する分離部の一例であり、スリット１３４を境にカーテン１３０は、第１カーテン部１３０−１と第２カーテン部１３０−２とが形成される。隣り合う被係合部１３２は、一方が第１カーテン部１３０−１に配置され、他方が第２カーテン部１３０−２に配置される。
【００４６】
スリット１３４は、主に、カーテン１３０が畳み込まれた際に、カーテン１３０の皺が一部に集中することを回避し、畳代の増大を防止するとともに綺麗に畳まれるようにするものである。また、スリット１３４によって、カーテン１３０内に貯まる日射熱を放出することができる。
【００４７】
以上、カーテン開閉装置１００の構成について説明した。次に、移動フレーム１１０へのカーテン１３０の取り付け方法について、図８及び図９を参照しながら説明する。
【００４８】
まず、図８を参照しながら、ベースフレーム１１２の固定係合部１１７にカーテン１３０の被係合部１３２を取り付ける作業について説明する。図８（ａ）に示したように、ベースフレーム１１２の隣り合う固定係合部１１７の位置と、カーテン１３０の隣り合う被係合部１３２の位置とが一致するように、ベースフレーム１１２に対してカーテン１３０を配置する。
【００４９】
次に、図８（ｂ）に示したように、第１カーテン部１３０−１の被係合部１３２を固定係合部１１７に係合し、次に、第２カーテン部１３０−２の被係合部１３２を固定係合部１１７に係合する。以上の作業によって、カーテン１３０の幅方向中央部分が移動フレーム１１０に取り付けられる。
【００５０】
次に、図９を参照しながら、補助フレーム１１４の可動係合部１１８にカーテン１３０の被係合部１３２を取り付ける作業について説明する。図９（ａ）に示したように、一方の補助フレーム１１４の可動係合部１１８の位置と、第２カーテン部１３０−２の端部の被係合部１３２の位置とが一致するように、補助フレーム１１４に対して第２カーテン部１３０−２を配置する。
【００５１】
次に、図９（ｂ）に示したように、第２カーテン部１３０−２の被係合部１３２を可動係合部１１８に係合する。次に、第１カーテン部１３０−１の端部の被係合部１３２も第２カーテン部１３０−２の被係合部１３２と同様に可動係合部１１８に係合する。以上の作業によって、カーテン１３０の端部が移動フレーム１１０に取り付けられる。このような作業を、園芸用施設１０の奥行方向に沿って複数設けられる移動フレーム１１０に対して順次行っていくことで、カーテン１３０が各移動フレーム１１０に取り付けられる。
【００５２】
以上、移動フレーム１１０にカーテン１３０を取り付ける作業について説明した。次に、カーテン開閉装置１００の動作について、図１０及び図１１を参照しながら説明する。図１０は、カーテン１３０を開ける動作を示し、図１１はカーテン１３０を閉じる動作を示す。
【００５３】
（カーテン開閉装置１００の動作）
まず、図１０を参照しながら、カーテン１３０を開ける動作について説明する。図１０（ａ）中左端部に配置されている移動フレーム１１０−１の操作手段２００のグリップ２０６を持って、移動フレーム１１０−１を図１０中の右方向に押していく。これにより、左端部の移動フレーム１１０−１に連結されている左端部のランナ１２４が、レール１２２に沿って図１０中の右方向に移動していく。左端部の移動フレーム１１０−１のランナ１２４がこれの右隣りの移動フレーム１１０−２のランナ１２４に当接すると、両移動フレーム１１０−１、１１０−２が一体に移動していく。
【００５４】
このように、左端部の移動フレーム１１０−１が右方向に移動していくにつれて、これよりも右側に配置されている移動フレーム１１０は、順次一体に移動していく。よって、図１０（ｂ）に示したように、各移動フレーム１１０が順次移動して、カーテン１３０を畳み込んでいく。そして、図１０（ｃ）に示したように、全ての移動フレーム１１０がレール１２２の右端部に移動すると、カーテン１３０が完全に畳み込まれる。このようにして、カーテン１３０が開けられる。
【００５５】
次に、図１１を参照しながら、カーテン１３０を閉じる動作について説明する。図１１（ａ）中左端部に配置されている移動フレーム１１０の操作手段２００のグリップ２０６を持って、移動フレーム１１０を図中左方向に引っ張っていく。これにより、左端部の移動フレーム１１０に連結されている左端部のランナ１２４が、レール１２２に沿って図中左方向に移動していく。図１１（ｂ）に示したように、左端部の移動フレーム１１０とこれの右隣りの移動フレーム１１０との間のカーテン１３０が完全に展開すると、右隣りの移動フレーム１１０は、カーテン１３０に引っ張られて、左端部の移動フレーム１１０と一体に移動していく。
【００５６】
この後、左端部の移動フレーム１１０の移動を継続することによって、この動作が順次繰り返される。そして、左端部の移動フレーム１１０がレール１２２の左端部まで移動すると、図１１に示したように、カーテン１３０が完全に展開する。このようにして、カーテン１３０が閉じられる。
【００５７】
このように、開閉されるときのカーテンが畳み込まれる状態について、図１２〜図１４を参照しながら説明する。隣り合う移動フレーム１１０の間隔が狭まると、図１２に示したように、カーテン１３０は、隣り合う移動フレーム１１０の間の奥行き方向中央部分から折れ曲がって、下方に垂れ下っていく。移動フレーム１１０は山形であるため、カーテン１３０の垂れ下がった部分は山形の頂点方向に集中しようとする。しかし、カーテン１３０には、山形の頂点にスリット１３４が形成されているため、スリット１３４の部分で集中が回避される。
【００５８】
すなわち、図１３及び図１４に示したように、第１カーテン部１３０−１の対向縁１３０−１ａが第２カーテン部１３０−２方向に侵入し、この侵入によって、第１カーテン部１３０−１の対向縁１３０−１ａに押されて、第２カーテン部１３０−２の対向縁１３０−２ａが折れ曲がる。よって、カーテン１３０が閉じた際に、第１カーテン部１３０−１の対向縁１３０−１ａと第２カーテン部１３０−２の対向縁１３０−２ａとが折り重なるように畳み込まれる。
【００５９】
（第１の実施形態の効果）
以上説明したように、本実施形態によれば、カーテン１３０には園芸用施設１０の奥行方向に沿ってスリット３４が設けられることで、カーテン１３０を畳み込んだときに、カーテン１３０が一部に集中しようとしても、スリット１３４によって集中が回避できる。このため、カーテン１３０の皺の発生を極力抑えて畳み込み量を減らし、カーテン１３０全体の畳み代の増大を防止するとともにきれいに畳み込むことができる。
【００６０】
また、従来、日射遮蔽を目的としてカーテンを設置する場合には、カーテンを介して侵入した日射熱はファンによって循環されるものの、依然としてカーテンの内側に留まってしまうという課題があった。この点、本実施形態によれば、スリット１３４によって、カーテン１３０内に留まる日射熱を放熱することができる。
【００６１】
さらに、スリット１３４をカーテン１３０が集中しやすい山形の頂点に対向する位置に設けることで、より一層きれいに畳み込むことができる。
【００６２】
また、第１カーテン部１３０−１と第２カーテン部１３０−２は、スリット１３４を境にして異なる傾斜角度にて開閉される構成であるため、園芸用施設１０の形状に合わせてカーテン１３０を配置することができる。
【００６３】
また、固定係合部１１７及び可動係合１１８と被係合部１３２とは着脱自在とされるため、カーテン１３０が移動フレーム１１０に着脱自在となる。よって、組立性が向上するとともに、季節や状況に応じて機能が異なるカーテン１３０への取り換えが可能となる。
【００６４】
（第２の実施形態）
次に、本発明の第２の実施形態について、図１５〜図１８を参照しながら説明する。本実施形態のカーテン開閉装置５００では、図１５及び図１６示したように、カーテン５３０を構成する第１カーテン部５３０−１と第２カーテン部５３０−２が、別部材で構成されているものである。このため、第１カーテン部５３０−１と第２カーテン部５３０−２の幅方向両端部に被係合部５３２が設けられている。第１カーテン部５３０−１は、移動フレーム５１０の一方のベースフレーム５１２と補助フレーム５１４に取り付けられ、第２カーテン部５３０−２は、他方のベースフレーム５１２と補助フレーム５１４に取り付けられる。カーテン５３０は、図１７に示したように、第１カーテン部５３０−１と第２カーテン部５３０−２の対向縁５３０−１ａ、５３０−２ａの間で分離部５３４が構成される。その他の構成は、第１の実施形態と同様であるため、重複説明を省略する。
【００６５】
次に、移動フレーム５１０へのカーテン５３０の取り付け方法について、図１８を参照しながら説明する。
【００６６】
まず、図１８を参照しながら、ベースフレーム５１２の固定係合部５１７にカーテン５３０の被係合部５３２を取り付ける作業について説明する。図１８（ａ）に示したように、ベースフレーム５１２の隣り合う固定係合部５１７の位置と、第１カーテン部５３０−１の被係合部１３２の位置とが一致するように、ベースフレーム５１２に対して第１カーテン部５３０−１を配置する。
【００６７】
次に、図１８（ｂ）に示したように、第１カーテン部５３０−１の被係合部５３２を固定係合部５１７に係合する。以上の作業を、第２カーテン部５３０−２に対して繰り返すことにより、第２のカーテン部５３０−２が移動フレーム５１０に取り付けられる。また、カーテン５３０の補助フレーム５１４への取り付け作業は、第１の実施形態と同様であるため、説明を省略する。
【００６８】
（第２の実施形態の効果）
以上説明したように、本実施形態によれば、第１の実施形態の効果に加えて、カーテン５３０を分離可能な第１カーテン部５３０−１と第２カーテン部５３０−２と、から構成することで、カーテン５３０の大きさに合わせて、複数のカーテン部を組み合わせることができる。
【００６９】
（第３の実施形態）
次に、本発明の第３の実施形態について、図１９を参照しながら説明する。本実施形態のカーテン開閉装置６００は、ベースフレーム６１２に固定されていた固定係合部６１７を移動可能にしたものである。その他の構成は、第２の実施形態と同様であるため、説明を省略する。
【００７０】
本実施形態では、隣り合う固定係合部６１７を、図１９に示したように、互いに中央に寄せる。これにより、固定係合部６１７に第１カーテン部６３０−１と第２カーテン部６３０−２の被係合部６３２を係合したときに、対向縁６３０−１ａと対向縁６３０−２ａが重なった状態になる。このため、カーテン６３０を閉じたときに、第１カーテン部６３０−１と第２カーテン部６３０−２との間の隙間による遮蔽性の低下が防止される。よって、カーテン開閉装置６００の遮蔽性が向上する。
【００７１】
（第３の実施形態の効果）
以上説明したように、本実施形態によれば、上記実施形態の効果に加えて、第１カーテン部６３０−１と第２カーテン部６３０−２の被係合部６３２を係合したときに、対向縁６３０−１ａと対向縁６３０−２ａが重なった状態になる。このため、カーテン６３０を閉じたときに、第１カーテン部６３０−１と第２カーテン部６３０−２との間の隙間による遮蔽性の低下が防止される。よって、カーテン開閉装置６００の遮蔽性が向上する。
【００７２】
（第４の実施形態）
次に、第４の実施形態について、図２０〜図２３を参照しながら説明する。本実施形態のカーテン開閉装置７００は、以下に説明する構成以外は、第１の実施形態と同様であるため、重複説明を省略する。
【００７３】
本実施形態のカーテン開閉装置７００は、図２０に示したように、カーテン７３０を、移動フレーム７１０に連結される第１カーテン部７３０−１及び第２カーテン部７３０−２と、補助フレーム７１４の端部側において、第１カーテン部７３０−１及び第２カーテン部７３０−２に連結される側壁用カーテン部７３０−３と、によって構成したものである。
【００７４】
以下、本実施形態の特徴的構成である、第１カーテン部７３０−１及び第２カーテン部７３０−２と側壁用カーテン部７３０−３とを連結する構成について説明する。前述のように、第１カーテン部７３０−１及び第２カーテン部７３０−２と側壁用カーテン部７３０−３とは、補助フレーム７１４の端部側で連結される。
【００７５】
以下、図２１及び図２２を参照しながら、補助フレーム７１４の第２カーテン部７３０−２側の端部を例にとって説明する。補助フレーム７１４の端部は、図２１及び図２２に示したように、第１の実施形態と同様に、開口部７１４ａ、７１４ｅが形成されており、補助フレーム７１４には、可動係合部７１８、係止部材７１６、キャップ７４０、ねじ７４１が取り付けられる。なお、開口部７１４ａ、７１４ｅ、可動係合部７１８、係止部材７１６、キャップ７４０、ねじ７４１は第１の実施形態と同様であるため、重複説明を省略する。
【００７６】
第２カーテン部７３０−２には、図２１に示したように、第２カーテン部７３０−２の表裏面の同じ位置に、第１係合部７３２−１と第２係合部７３２−２が取り付けられている。第１係合部７３２−１は、第１の実施形態と同様であり、スナップボタンのメス型の形状をしている。第２係合部７３２−２は、スナップボタンのオス型の形状をしている。
【００７７】
また、側壁用カーテン部７３０−３には、図２１に示したように、端部に第３の係合部７３２−３が取り付けられている。第３の係合部７３２−３は、スナップボタンのメス型の形状をしている。
【００７８】
次に、補助フレーム７１４に第２カーテン部７３０−２と側壁用カーテン部７３０−３を取り付ける作業について、図２３を参照しながら説明する。前述のように、可動係合部７１８はスナップボタンのオス型、第１係合部７３２−１はスナップボタンのメス型、第２係合部７３２−２はスナップボタンのオス型、第３の係合部７３２−３はスナップボタンのメス型の形状をしている。よって、補助フレーム７１４に第２カーテン部７３０−２と側壁用カーテン部７３０−３を取り付ける際には、まず、図２３（ａ）に示したように、可動係合部７１８に第１係合部７３２−１を係合する。次に、図２３（ｂ）に示したように、第１係合部７３２−１の裏面にある第２係合部７３２−２ｂに第３の係合部７３２−３を係合する。
【００７９】
このように取り付けることによって、図２２に示したように、第２カーテン部７３０−２と側壁用カーテン部７３０−３とが端部同士が重なり合うように連結されて、補助フレーム７１４に取り付けられる。
【００８０】
（第４の実施形態の効果）
以上説明したように、本実施形態によれば、複数のカーテン部同士を連結しながら移動フレーム７１０に連結する作業が容易であり、且つ開閉時に不用意に外れることを防止できる。また、第１カーテン部７３０−１と第２カーテン部７３０−２とが移動フレーム７１０に着脱自在とされ、さらに側壁用カーテン部７３０−３の端部が第１カーテン部７３０−１と第２カーテン部７３０−２の端部に重なり合ように着脱自在とされることで、組立性が向上するとともに、季節や状況に応じて、機能が異なるカーテンへの取替えが可能となる。
【００８１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００８２】
例えば、上記実施形態では、第１カーテン部と第２カーテン部とは、分離部（スリット）を境にして異なる傾斜角度にて開閉される構成としたが、本発明は、この例に限定されない。例えば、第１カーテン部と第２カーテン部を同じ傾斜角度で開閉されるようにしてもよい。すなわち、移動フレームが傾斜していないものの場合、第１カーテン部と第２カーテン部は同じ角度で開閉される。また、カーテンを大型の移動フレームに取り付ける場合など、第１カーテン部と第２カーテン部を移動フレームの同じ辺（同じベースフレームまたは同じ補助フレーム）に連結する場合は、第１カーテン部と第２カーテン部は同じ傾斜角度で開閉されることになる。
【００８３】
また、上記実施形態では、分離部（スリット）は移動フレームの山形の頂点に対向する位置に設けられる構成としたが、本発明はこの例に限定されない。例えば、移動フレームの傾斜している辺（ベースフレームまたは補助フレーム）に設けてもよい。
【００８４】
なお、上記実施形態では、固定係合部、可動係合部、被係合部、第１係合部、第２係合部、第３係合部をスナップボタンで構成したが、本発明はこの例に限定されず、任意の係合手段を採用することができる。例えば、面ファスナーを採用してもよい。
【００８５】
また、上記実施形態では、第１カーテン部及び第２カーテン部と側壁用カーテン部とを連結する構成としたが、園芸用施設の奥行方向の長さに合わせて第１カーテン部とほぼ同等の幅を有する第３カーテン部、第２カーテン部とほぼ同等の幅を有する第４カーテン部を、第１カーテン部と第２カーテン部のそれぞれ端部に奥行方向に沿って連結することによって、カーテンの長さを調整するようにしてもよい。
【符号の説明】
【００８６】
１０  園芸用施設
１２  アーチフレーム
１４  母屋フレーム
１００、５００、６００、７００  カーテン開閉装置
１１０、１１０−１、１１０−２、５１０、７１０・・・  移動フレーム
１１２、５１２、６１２、７１２  ベースフレーム
１１２ａ−１、１１２ａ−２  ベースフレーム構成部材
１１２ｂ−１、１１２ｂ−２  基端部
１１２ｃ  連結部材
１１４、５１４、６１４、７１４  補助フレーム
１１４ａ、１１４ｅ、７１４ａ、７１４ｅ  開口部
１１６、７１６  係止部材
１１７、５１７、６１７  固定係合部
１１８、７１８  可動係合部
１２０  支持手段
１２２  レール
１２４  ランナ
１２６  フック
１２８  固定具
１３０、５３０、６３０、７３０  カーテン
１３０−１、５３０−１、６３０−１、７３０−１  第１カーテン部
１３０−２、５３０−２、６３０−２、７３０−２  第２カーテン部
１３０−１ａ、５３０−１ａ、６３０−１ａ  対向縁
１３０−２ａ、５３０−２ａ、６３０−２ａ  対向縁
１３２、５３２、６３２  被係合部
１３４  スリット
１４０、７４０  キャップ
１４１、７４１  ねじ
２００  操作手段
２０２  チェーン
２０４  操作フレーム
２０６  グリップ
５３４  分離部
７３０−３  側壁用カーテン部
７３２−１  第１係合部
７３２−２  第２係合部
７３２−３  第３の係合部
【図１】
2017055679.tif 000003
【図２】
2017055679.tif 000004
【図３】
2017055679.tif 000005
【図４】
2017055679.tif 000006
【図５】
2017055679.tif 000007
【図６】
2017055679.tif 000008
【図７】
2017055679.tif 000009
【図８】
2017055679.tif 000010
【図９】
2017055679.tif 000011
【図１０】
2017055679.tif 000012
【図１１】
2017055679.tif 000013
【図１２】
2017055679.tif 000014
【図１３】
2017055679.tif 000015
【図１４】
2017055679.tif 000016
【図１５】
2017055679.tif 000017
【図１６】
2017055679.tif 000018
【図１７】
2017055679.tif 000019
【図１８】
2017055679.tif 000020
【図１９】
2017055679.tif 000021
【図２０】
2017055679.tif 000022
【図２１】
2017055679.tif 000023
【図２２】
2017055679.tif 000024
【図２３】
2017055679.tif 000025
【手続補正書】
【提出日】平成28年8月16日(2016.8.16)
【手続補正１】
【補正対象書類名】特許請求の範囲
【補正対象項目名】全文
【補正方法】変更
【補正の内容】
【特許請求の範囲】
【請求項１】
園芸用施設のカーテン開閉装置であって、
前記園芸用施設の奥行方向に沿って開閉するカーテンを備え、
前記カーテンは、前記奥行方向に沿って設けられる分離部を境に第１カーテン部と第２カーテン部とが形成され、
前記カーテンが閉じた際に、前記第１カーテン部の対向縁と前記第２カーテン部の対向縁とが折り重なるように畳み込まれることを特徴とする、園芸用施設のカーテン開閉装置。
【請求項２】
山形の移動フレームと、
前記移動フレームを支持し前記園芸用施設の奥行方向に案内する支持手段と、
をさらに備え、
前記カーテンは、前記移動フレームに連結され、前記移動フレームが前記支持手段に沿って案内されることで、前記園芸用施設の奥行方向に沿って開閉することを特徴とする、請求項１に記載の園芸用施設のカーテン開閉装置。
【請求項３】
前記分離部は、前記移動フレームの山形の頂点に対向する位置に設けられることを特徴とする、請求項２に記載の園芸用施設のカーテン開閉装置。
【請求項４】
前記第１カーテン部と前記第２カーテン部とは別体であり、別々に前記移動フレームに連結されることを特徴とする、請求項２又は３に記載の園芸用施設のカーテン開閉装置。
【請求項５】
前記第１カーテン部の対向縁と前記第２カーテン部の対向縁とは、互いに重なった状態で移動フレームに連結されることを特徴とする、請求項２〜４のいずれかに記載の園芸用施設のカーテン開閉装置。
【請求項６】
前記移動フレームには、第１係合部が設けられ、
前記第１カーテン部には、前記第１係合部と係合する第２係合部と、前記第２係合部の裏面に設けられる第３係合部と、が設けられ、
前記第２カーテン部には、前記第３係合部と係合する第４係合部が設けられることを特徴とする、請求項２〜５のいずれかに記載の園芸用施設のカーテン開閉装置。
【請求項７】
前記第１カーテン部と前記第２カーテン部とは、前記分離部を境にして異なる傾斜角度にて開閉されることを特徴とする、請求項１〜６のいずれかに記載の園芸用施設のカーテン開閉装置。
【請求項８】
前記分離部は、前記カーテンに形成されるスリットであることを特徴とする、請求項１〜７のいずれかに記載の園芸用施設のカーテン開閉装置。
【手続補正２】
【補正対象書類名】明細書
【補正対象項目名】００１０
【補正方法】変更
【補正の内容】
【００１０】
上記課題を解決するために、本発明によれば、園芸用施設のカーテン開閉装置であって、前記園芸用施設の奥行方向に沿って開閉するカーテンを備え、前記カーテンは、前記奥行方向に沿って設けられる分離部を境に第１カーテン部と第２カーテン部とが形成され、前記カーテンが閉じた際に、前記第１カーテン部の対向縁と前記第２カーテン部の対向縁とが折り重なるように畳み込まれることを特徴とする、園芸用施設のカーテン開閉装置が提供される。
【手続補正３】
【補正対象書類名】明細書
【補正対象項目名】００１３
【補正方法】変更
【補正の内容】
【００１３】
また、本発明の応用例として様々なものが考えられる。例えば、山形の移動フレームと、前記移動フレームを支持し前記園芸用施設の奥行方向に案内する支持手段と、をさらに備え、前記カーテンは、前記移動フレームに連結され、前記移動フレームが前記支持手段に沿って案内されることで、前記園芸用施設の奥行方向に沿って開閉する構成としてもよい。
【手続補正４】
【補正対象書類名】明細書
【補正対象項目名】００１５
【補正方法】変更
【補正の内容】
【００１５】
また、前記第１カーテン部と前記第２カーテン部とは別体であり、別々に前記移動フレームに連結される構成としてもよい。カーテンを分離可能な第１カーテン部と第２カーテン部と、から構成することで、カーテンの大きさに合わせて、複数のカーテン部を組み合わせることができる。また、組立性が向上するとともに、季節や状況に応じて、機能が異なるカーテンへの取替えが可能となる。また、第２カーテン部として、施設内の側壁用カーテンを連結することもできる。
【手続補正５】
【補正対象書類名】明細書
【補正対象項目名】００１６
【補正方法】変更
【補正の内容】
【００１６】
前記第１カーテン部の対向縁と前記第２カーテン部の対向縁とは、互いに重なった状態で移動フレームに連結される構成としてもよい。第１カーテン部と第２カーテン部とは、互いの対向縁が重なった状態で移動フレームに連結されるため、カーテンを閉じたときに、第１カーテン部と第２カーテン部との間のすき間による遮蔽性の低下を防止することが可能である。
【手続補正６】
【補正対象書類名】明細書
【補正対象項目名】００１７
【補正方法】変更
【補正の内容】
【００１７】
なお、従来のカーテンは、支持部上を移動可能な滑車に連結されたフックを補強帯に設けたハトメに通すことで滑車に保持され、カーテンは、予め決まった位置に形成されているハトメを利用して滑車に吊り下げられることになり、一枚のカーテンを滑車へ連結することは容易と言えるが、ハトメとフックとの連結では、複数のカーテンを一つの滑車に連結することが困難であり、例え連結できた場合でも、カーテンを畳み込んだ時にフックからハトメが脱落しやすいという課題があった。
そこで、本発明の応用例として、前記移動フレームには、第１係合部が設けられ、前記第１カーテン部には、前記第１係合部と係合する第２係合部と、前記第２係合部の裏面に設けられる第３係合部と、が設けられ、前記第２カーテン部には、前記第３係合部と係合する第４係合部が設けられる構成としてもよい。かかる構成によれば、複数のカーテン部同士を連結しながら移動フレームに連結する作業が容易であり、且つ開閉時に不用意に外れることを防止できる。また、第１カーテン部と第２カーテン部とが移動フレームに着脱自在とされることで、組立性が向上するとともに、季節や状況に応じて、機能が異なるカーテンへの取替えが可能となる。
【手続補正７】
【補正対象書類名】明細書
【補正対象項目名】００１８
【補正方法】変更
【補正の内容】
【００１８】
前記第１カーテン部と前記第２カーテン部とは、前記分離部を境にして異なる傾斜角度にて開閉される構成としてもよい。よって、園芸用施設の形状に合わせてカーテンを配置することができる。
【手続補正８】
【補正対象書類名】明細書
【補正対象項目名】００１９
【補正方法】変更
【補正の内容】
【００１９】
前記分離部は、前記カーテンに形成されるスリットであってもよい。よって、１枚のカーテンで、カーテン全体の畳み代の増大を防止するとともにきれいに畳み込むことができ、カーテン内に留まる日射熱を放熱することができる。